【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
第１のタイミングにおける第１被写体の部位の位置を表す位置情報を取得する第１取得手段と、
前記第１被写体の部位に対応し、前記第１のタイミングに対応する第２のタイミングにおける第２被写体の部位の位置を表す位置情報と、前記第１被写体の部位に対応し、前記第２のタイミングとは異なる第３のタイミングにおける前記第２被写体の部位の位置を表す位置情報とを取得する第２取得手段と、
前記第１のタイミングにおける前記第１被写体の部位の位置を表す位置情報と前記第２のタイミングにおける前記第２被写体の部位の位置を表す位置情報と前記第３のタイミングにおける前記第２被写体の部位の位置を表す位置情報とに基づいて、前記第３のタイミングに対応する第４のタイミングにおける前記第１被写体の部位の位置を決定する決定手段と
を有することを特徴とする情報処理装置。
【請求項２】
前記第２取得手段は、前記第２のタイミングにおける前記第２被写体の部位の位置と前記第３のタイミングにおける前記第２被写体の部位の位置との変化を表す前記第２被写体の動き情報を取得し、
前記決定手段は、前記第１のタイミングにおける前記第１被写体の部位の位置を表す位置情報と前記第２被写体の動き情報とに基づいて、前記第４のタイミングにおける前記第１被写体の部位の位置を決定すること
を特徴とする請求項１に記載の情報処理装置。
【請求項３】
前記第４のタイミングにおける前記第１被写体の部位の位置に基づいて、前記第１被写体を表す画像を表示させる表示制御手段をさらに有することを特徴とする請求項２に記載の情報処理装置。
【請求項４】
前記第１取得手段は、前記第１被写体の骨格を表す情報を取得し、当該第１被写体の骨格を表す情報に基づいて前記第１被写体の部位の位置を取得し、
前記第２取得手段は、前記第２被写体の骨格を表す情報を取得し、当該第２被写体の骨格を表す情報に基づいて前記第２被写体の部位の位置を取得すること
を特徴とする請求項３に記載の情報処理装置。
【請求項５】
前記第１取得手段は、前記第１被写体の３次元形状データを取得し、
前記第１被写体の骨格を表す情報と前記第１被写体の３次元形状データを関連付ける制御を行う制御手段を有することを特徴とする請求項４に記載の情報処理装置。
【請求項６】
前記第１取得手段は、前記第１被写体の３次元形状データを取得し、当該第１被写体の３次元形状データに基づいて前記第１被写体の部位の位置を取得し、
前記第２取得手段は、前記第２被写体の３次元形状データを取得し、当該第２被写体の３次元形状データに基づいて前記第２被写体の部位の位置を取得すること
を特徴とする請求項３に記載の情報処理装置。
【請求項７】
前記第１取得手段は、前記第１被写体の骨格を表す情報を取得し、
前記第１被写体の骨格を表す情報と前記第１被写体の３次元形状データを関連付ける制御を行う制御手段を有することを特徴とする請求項６に記載の情報処理装置。
【請求項８】
前記第２取得手段は、前記第３のタイミングにおける第２被写体の部位の位置を取得し、
前記表示制御手段は、前記第３のタイミングにおける第２被写体の部位の位置に基づいて、前記第２被写体を表す画像を表示させること
を特徴とする請求項３乃至７の何れか１項に記載の情報処理装置。
【請求項９】
前記表示制御手段は、前記第１の被写体を表す画像と前記第２の被写体を表す画像とを重ねて表示させることを特徴とする請求項８に記載の情報処理装置。
【請求項１０】
前記表示制御手段は、前記第１被写体の特定の部位の位置と前記第２被写体の特定の部位の位置とが重なるように前記第１被写体を表す画像と前記第２被写体を表す画像とを表示させることを特徴とする請求項８または９に記載の情報処理装置。
【請求項１１】
前記第３のタイミングと前記第４のタイミングとは、前記第１被写体と前記第２被写体とが共通の動きを行うタイミングであることを特徴とする請求項８乃至１０の何れか１項に記載の情報処理装置。
【請求項１２】
前記表示制御手段は、前記第１のタイミングにおける前記第１被写体の部位と前記第４のタイミングにおける前記第１被写体の部位との変化を表す第１被写体の動き情報と前記第２被写体の動き情報とを比べた結果を表示させることを特徴とする請求項３乃至１１の何れか１項に記載の情報処理装置。
【請求項１３】
前記第１被写体の部位は、前記第１被写体を複数の撮影装置により複数の方向から撮影することで取得されることを特徴とする請求項１乃至１２の何れか１項に記載の情報処理装置。
【請求項１４】
前記第１被写体の部位と前記第２被写体の部位とは、それぞれ前記第１被写体の関節と前記第２被写体の関節とであること
を特徴とする請求項１乃至１３の何れか１項に記載の情報処理装置。
【請求項１５】
前記第１のタイミングは、特定の動作の前であり、
前記第２のタイミングは、特定の動作の後であることを特徴とする請求項１乃至１４の何れか１項に記載の情報処理装置。
【請求項１６】
第１被写体の体格を表す情報を取得する第１取得手段と、
第２被写体の骨格を表す情報および３次元形状データの少なくとも何れかを取得し、前記第２被写体の部位の位置の位置情報を取得する第２取得手段と、
前記第１被写体の体格を表す情報に基づいて、前記第２被写体の骨格を表す情報および３次元形状データの少なくとも何れかと前記第２被写体の部位の位置を表す位置情報とを調整する制御を行う制御手段と
を有することを特徴とする情報処理装置。
【請求項１７】
前記制御手段によって調整された前記第２被写体の骨格を表す情報および３次元形状データの少なくとも何れかと前記制御手段によって調整された前記第２被写体の部位の位置を表す位置情報とに基づいて前記第２被写体を表す画像を表示させる制御を行う表示制御手段
を有することを特徴とする請求項１６に記載の情報処理装置。
【請求項１８】
前記体格を表す情報は、被写体の体型に関する情報、身長に関する情報および体重に関する情報の少なくとも何れかであることを特徴とする請求項１６または１７に記載の情報処理装置。
【請求項１９】
第１のタイミングにおける第１被写体の部位の位置を表す位置情報を取得する第１取得工程と、
前記第１被写体の部位に対応し、前記第１のタイミングに対応する第２のタイミングにおける第２被写体の部位の位置を表す位置情報と、前記第１被写体の部位に対応し、前記第２のタイミングとは異なる第３のタイミングにおける前記第２被写体の部位の位置を表す位置情報とを取得する第２取得工程と、
前記第１のタイミングにおける前記第１被写体の部位の位置を表す位置情報と前記第２のタイミングにおける前記第２被写体の部位の位置を表す位置情報と前記第３のタイミングにおける前記第２被写体の部位の位置を表す位置情報とに基づいて、前記第３のタイミングに対応する第４のタイミングにおける前記第１被写体の部位の位置を決定する決定工程と
を有することを特徴とする情報処理方法。
【請求項２０】
第１被写体の体格を表す情報を取得する第１取得工程と、
第２被写体の骨格を表す情報および３次元形状データの少なくとも何れかを取得し、前記第２被写体の部位の位置の位置情報を取得する第２取得工程と、
前記第１被写体の体格を表す情報に基づいて、前記第２被写体の骨格を表す情報および３次元形状データの少なくとも何れかと前記第２被写体の部位の位置を表す位置情報とを調整する制御を行う制御工程と
を有することを特徴とする情報処理方法。
【請求項２１】
コンピュータを、請求項１乃至１５の何れか１項に記載の情報処理装置として動作させるためのプログラム。
【手続補正２】
【補正対象書類名】明細書
【補正対象項目名】０００７
【補正方法】変更
【補正の内容】
【０００７】
上記の課題を解決するため、本発明に係る画像処理装置は、例えば以下の構成を有する。すなわち、第１のタイミングにおける第１被写体の部位の位置を表す位置情報を取得する第１取得手段と、前記第１被写体の部位に対応し、前記第１のタイミングに対応する第２のタイミングにおける第２被写体の部位の位置を表す位置情報と、前記第１被写体の部位に対応し、前記第２のタイミングとは異なる第３のタイミングにおける前記第２被写体の部位の位置を表す位置情報とを取得する第２取得手段と、前記第１のタイミングにおける前記第１被写体の部位の位置を表す位置情報と前記第２のタイミングにおける前記第２被写体の部位の位置を表す位置情報と前記第３のタイミングにおける前記第２被写体の部位の位置を表す位置情報とに基づいて、前記第３のタイミングに対応する第４のタイミングにおける前記第１被写体の部位の位置を決定する決定手段とを有する。